(57)【要約】      （修正有）【課題】美観性に優れ、使用者の血液の循環を促進する。【解決手段】織布１の表面には、少なくとも一つの幾何学模様の形態であるエネルギー体１０が付着して設けられ、エネルギー体は無害な材質である少なくとも一種類のエネルギー元素が結合されており、織布の表面に突起状に形成されている。【選択図】図１
0003138350.tif 000002
【実用新案登録請求の範囲】
【請求項１】
ヨーガ用織布構造であって、
織布の表面には、少なくとも一つの幾何学模様の形態であるエネルギー体が付着して設けられており、
前記エネルギー体は無害な材質である少なくとも一種類のエネルギー元素が結合されており、前記織布の表面に突出して形成されていることを特徴とする、
ヨーガ用織布構造。
【請求項２】
前記エネルギー体がドット状の形態、直線状の形態またはブロック状の形態のうちの任意の組み合わせで前記織布の表面に配置されていることを特徴とする、請求項１に記載のヨーガ用織布構造。
【請求項３】
前記エネルギー元素がチタン元素、ゲルマニウム元素、竹炭分子、バイオセラミックスおよびトルマリンから任意に選択して組合せたものであることを特徴とする、請求項１に記載のヨーガ用織布構造。
【請求項４】
前記無害な材質がポリ塩化ビニル（ＰＶＣ）またはシリコーン（ＳＩＬＩＣＯＮＥ）のうちのいずれか一つであることを特徴とする請求項１に記載のヨーガ用織布構造。
【考案の詳細な説明】
【技術分野】
【０００１】
本考案は織布構造に関し、特にエネルギー体を織布表面に結合させたヨーガ用織布構造（例：ヨーガ用ウェア、ヨーガ用タオル、ヨーガ運動用靴下、ヨーガ用抱き枕、ヨーガ用敷布およびヨーガ用マットなど）に関する。
【背景技術】
【０００２】
現代の都市では人々は仕事に追われて、自然に触れ合う機会が大幅に減り、これに関係して腰痛などの文明病を患いやすくなっていることから、健康維持・養生の思想が日増しに流行してきている。
ヨーガ（Ｙｏｇａ）は優れた健康維持の運動であり、各種の補助道具により特定の姿勢や座り姿勢を確立し、人体の状態の調和を図る運動であって、精神をリラックスさせるとともに健康を増進する作用がある。
【０００３】
一般的な公知のヨーガ用織布の紡績技術では、繊維により布状の構造物を織り上げ、その厚みを厚くしたい場合には植毛して、構造に柔らかな触感を持たせている。
そして健康維持の思想の潮流に符合するエネルギー元素を付与する場合、エネルギー元素（例：チタン、セラミックス粉末または竹炭などの物質）を紡績の前に繊維中に添加するか、またはエネルギー元素の熱可塑性糸状重合体を芯材として用いて、炭化チタン粉末を持たない繊維と混紡して織り上げている。
【考案の開示】
【考案が解決しようとする課題】
【０００４】
しかしながら、このような紡績工程は複雑過ぎる上、従来の織布構造に革新的な機能および効果をもたらすことはできないため、従来技術を如何に越えるかということが、思索が待たれるといった技術的課題がある。
【課題を解決するための手段】
【０００５】
これに鑑み、本考案では、従来技術を改善することを目的としたヨーガ用織布構造を提供するものである。
このヨーガ用織布では、複数個のエネルギー体を織布の表面に設けて、独創性があり美観に優れた各種の模様を形成するとともに、エネルギー体の高い結合性により、このエネルギー体内部の微量の元素および分子を緊密に付着させるとともに、織布の表面に固着させている。
【考案の効果】
【０００６】
医学的な実証結果によれば、指圧または揉むといったマッサージ作用により、肌表面の毛細血管または細胞組織に対して、物理的な活性化の補助的効果をもたらすことが実証されている。
本考案は、エネルギー体が形成する突起構造により、使用者がこのヨーガ用織布を使用するに際して、エネルギー体が使用者の皮膚に接触して微細なマッサージ効果をもたらし、使用者の血液の循環を促進するとともに、更には使用者の健康を増進することができる。
【考案を実施するための最良の形態】
【０００７】
本考案はヨーガ用織布構造である。本考案のヨーガ用織布構造の立体概略図である図１を参照されたい。本考案の織布１は、例えばポリ塩化ビニル（ＰＶＣ）またはシリコーン（ＳＩＬＩＣＯＮＥ）などの材質で製作される環境に優しく無害な少なくとも一つのエネルギー体１０を備えている。そしてエネルギー体１０の材料中にはチタン元素、ゲルマニウム元素、竹炭繊維、バイオセラミックスおよびトルマリンなどの材料が更に混入されている。ここで上記した材料は特定の形態に限定されない。例えば、チタン元素は酸化チタン、炭化チタン、チタン水素化物または窒化チタンなどの化合物を選択することができるし、銅、スズ、鉄、アルミニウムなどの金属で合成された合金体を選択して、生物的な状態のバランスをとるといった優れた効果を達成するようにしてもよい。またこのエネルギー体１０は任意の幾何学模様に設計するとともに、織布１の表面に付着させて、同時に織布１と一体となるようにしっかりと固着させることができる。
【０００８】
続いて、本考案のヨーガ用織布構造の第１、第２および第３の断面概略図である図３〜図４を参照されたい。
【０００９】
織布１の表面のポリ塩化ビニル（ＰＶＣ）またはシリコーン（ＳＩＬＩＣＯＮＥ）とエネルギー元素とを混ぜ合わせた後、ポリ塩化ビニル（ＰＶＣ）またはシリコーン（ＳＩＬＩＣＯＮＥ）はその高い粘着の結合性を発揮して、エネルギー元素を織布１の表面に密着させて突起状のエネルギー体１０を形成している。
【００１０】
図３ではエネルギー体１０はドット状の形態で設計されるとともに、織布１の表面に付着されて、同時に織布１と一体となるようにしっかりと結合されて、新たなヨーガ用織布構造を形成している。
【００１１】
図４におけるエネルギー体１０の実施形態は直線状（ブロック状）の形態であり、直線状（ブロック状）は断面においては長尺の形状に似たものとなっている。
図４に示すものを参照されたい。同一の考案という技術的思想に違えることのない状況下で、本考案のエネルギー体１０の実施形態は全体を覆うようなブロック状構造として、織布１の表面全体に付着させて、断面においては織布１全体に亘って突起を有する形態とすることができる。
【００１２】
現在、各種エネルギー元素を用いて商品を製造するということがすでに風潮となっていることから、一部消費者もエネルギー元素が人体にとってプラスの一助となることを認めている（例えば、血液の循環を促進し、新陳代謝を助け、体内の磁界や生物的な電界のバランスを図り、これにより体の快適感が得られる）。
【００１３】
図５に示すように、本考案の構造により、各種エネルギー元素を効果的にしかも長時間ヨーガ用織布の表面に付着させて、ヨーガ用タオル、ヨーガ用ウェア、ヨーガ運動用靴下、ヨーガ用抱き枕、ヨーガ用敷布およびヨーガ用マットなどの表面にエネルギー体を付着させることができる。
この実施例はタオルの形態で表しており、本考案のエネルギー体１０は塗布、接着またはスクリーン印刷などの任意の方法により織布１の表面にしっかりと結合でき、使用者２０が本考案の織布１（タオル）を使用して擦拭または体を覆ったとき、エネルギー体１０がタオル表面で突起を形成しているため、使用者が本考案のタオルを使用したときには、エネルギー体１０の突起部分が使用者の肌に接触して、微細なマッサージ効果をもたらし、使用者の血液の循環を促進する。
またエネルギー体１０は何らかの形態に限定されることはなく、各種の幾何学模様に設計することができ、織布全体の美観を高めることができる。
【００１４】
本考案では前記の好ましい実施例を上記のように開示したが、これは本考案を限定するためのものではなく、当業者であれば、本考案の技術的思想および範囲を逸脱することなく、各種の変更および付加を行うことができるので、本考案の保護範囲は別紙の実用新案登録請求の範囲による限定を基準と見なす。
【図面の簡単な説明】
【００１５】
【図１】本考案のヨーガ用織布構造の立体概略図である。
【図２】本考案のヨーガ用織布構造の第１の断面概略図である。
【図３】本考案のヨーガ用織布構造の第２の断面概略図である。
【図４】本考案のヨーガ用織布構造の第３の断面概略図である。
【図５】本考案のヨーガ用織布構造の実施例の概略図である。
【符号の説明】
【００１６】
１    織布
１０    エネルギー体
２０    使用者
【図１】
0003138350.tif 000003
【図２】
0003138350.tif 000004
【図３】
0003138350.tif 000005
【図４】
0003138350.tif 000006
【図５】
0003138350.tif 000007